(57)【要約】【課題】ゲート本体の小型化によりゲート全体をシンプルな形状とし、据え付ける建築物のデザイン性を損なわないセキュリティゲートを提供する。【解決手段】ゲート本体の両側に形成された入退出通路を、ゲート本体に設けたフラップ９Ａ、９Ｂによりそれぞれ個別に開閉するにあたり、フラップ９Ａ、９Ｂの回転軸を上下に位置させて同軸上に配置する。また、フラップ９Ａ、９Ｂの各回転駆動源１９をそれぞれの上方枢支部１７と下方枢支部１８との間に配置する。さらに、ゲート本体として、回転駆動機構１０と、回転駆動機構１０を取り付ける固定フレーム８と、回転駆動機構１０および固定フレーム８を覆い、その筒軸がフラップ９Ａ、９Ｂの回転軸と同軸上に配置される筒状カバー１１と、を有した支柱部４を備える構成とする。【選択図】図３
2010196428.tif 000002
【特許請求の範囲】
【請求項１】
ゲート本体の両側に形成された入退出通路を、ゲート本体に設けた各フラップによりそれぞれ個別に開閉するセキュリティゲートであって、
各フラップの回転軸を上下に位置させて同軸上に配置したことを特徴とするセキュリティゲート。
【請求項２】
前記フラップは、フラップの回転軸を構成する上方枢支部および下方枢支部によって回転自在に支持され、
前記フラップの回転駆動源を前記上方枢支部と前記下方枢支部との間に配置したことを特徴とする請求項１に記載のセキュリティゲート。
【請求項３】
前記ゲート本体は、
前記上方枢支部、前記下方枢支部および前記回転駆動源からなる回転駆動機構と、
この回転駆動機構を取り付ける固定フレームと、
前記回転駆動機構および前記固定フレームを覆い、その筒軸が前記フラップの回転軸と同軸上に配置される筒状カバーと、を有した支柱部を備え、
前記筒状カバーを上下に分割してそれぞれに前記各フラップを一体に連結させ、各フラップとともに各筒状カバーを回転させる構成としたことを特徴とする請求項２に記載のセキュリティゲート。
【請求項４】
前記固定フレームは、一方のフラップの回転駆動源を取り付ける下方の固定フレームと他方のフラップの回転駆動源を取り付ける上方の固定フレームとから構成され、
前記下方の固定フレームと前記上方の固定フレームとは、各々のフラップの位置する側に開口部を形成した同一の平断面形状を呈し、平面視してフラップの回転軸を中心として点対称の関係となるように連結されていることを特徴とする請求項３に記載のセキュリティゲート。
【発明の詳細な説明】
【技術分野】
【０００１】
本発明は、セキュリティゲートに関する。
【背景技術】
【０００２】
水平面内に回転し、通路に直角に位置して通路を閉鎖するフラップを備え、通過権限を認証された人が通路を通過するときにフラップを開いて通過を可能とするセキュリティゲートの従来例として特許文献１に記載のものが挙げられる。
【先行技術文献】
【特許文献】
【０００３】
【特許文献１】特開２００８−２３４０２３号公報
【発明の概要】
【発明が解決しようとする課題】
【０００４】
従来のセキュリティゲートは、フラップの回転駆動機構の占めるスペースが大きいことから、ゲート本体が大きくなってゲート全体の存在感が強くなる傾向にあり、建築物のデザインとのマッチングの点や物物しい印象を与えやすいという点で例えばビルのエントランス用としては不向きな場合があった。
【０００５】
本発明は、ゲート本体の小型化によりゲート全体をシンプルな形状とし、据え付ける建築物のデザイン性を損なわないセキュリティゲートを提供することを目的としている。
【課題を解決するための手段】
【０００６】
本発明は、前記課題を解決するため、ゲート本体の両側に形成された入退出通路を、ゲート本体に設けた各フラップによりそれぞれ個別に開閉するセキュリティゲートであって、各フラップの回転軸を上下に位置させて同軸上に配置したことを特徴とする。
【０００７】
本発明によれば、各フラップの回転軸を入退出通路の幅方向に並列に配置する場合に比してゲート本体の幅寸法（入退出通路の幅方向に沿う寸法）を抑えることができる。したがって、ゲート本体の小型化が可能となってゲートの存在感も抑制され、建築物のデザイン性とのマッチングが良好となる。
【０００８】
また、本発明は、前記フラップは、フラップの回転軸を構成する上方枢支部および下方枢支部によって回転自在に支持され、前記フラップの回転駆動源を前記上方枢支部と前記下方枢支部との間に配置したことを特徴とする。
【０００９】
フラップを安定して支持するためには上下一対としての上方枢支部と下方枢支部とが必要であり、従来では、特許文献１に示されるように、回転駆動源をフラップの下方枢支部よりもさらに下方に位置させているために回転駆動機構全体の高さ寸法が嵩張るのに対し、本発明によれば、上方枢支部と下方枢支部との間の空間を利用して回転駆動源を位置させているので回転駆動機構全体の高さ寸法が小さくなる。したがって、限られたゲート本体の内部スペースにおいて、回転駆動機構の高さ寸法が抑えられる分、回転駆動機構以外のゲート構成部材の収装スペースに充てることができる。
【００１０】
また、本発明は、前記ゲート本体は、前記上方枢支部、前記下方枢支部および前記回転駆動源からなる回転駆動機構と、この回転駆動機構を取り付ける固定フレームと、前記回転駆動機構および前記固定フレームを覆い、その筒軸が前記フラップの回転軸と同軸上に配置される筒状カバーと、を有した支柱部を備え、前記筒状カバーを上下に分割してそれぞれに前記各フラップを一体に連結させ、各フラップとともに各筒状カバーを回転させる構成としたことを特徴とする。
【００１１】
回転駆動機構と、この回転駆動機構を取り付ける固定フレームと、回転駆動機構および固定フレームを覆い、その筒軸がフラップの回転軸と同軸上に配置される筒状カバーと、を有した支柱部を備える構成とすれば、ゲート本体を小型でシンプルな形状にできる。そして、筒状カバーを上下に分割してそれぞれに各フラップを一体に連結させ、各フラップとともに各筒状カバーを回転させる構成とすれば、筒状カバーにフラップの回転逃げ代用の切り欠きなどを形成する必要もなくなり、支柱部の構造を簡略化できる。内蔵される回転駆動機構等は筒状カバーによって常時完全に覆われるため、美観が損なわれることもない。
【００１２】
また、本発明は、前記固定フレームは、一方のフラップの回転駆動源を取り付ける下方の固定フレームと他方のフラップの回転駆動源を取り付ける上方の固定フレームとから構成され、前記下方の固定フレームと前記上方の固定フレームとは、各々のフラップの位置する側に開口部を形成した同一の平断面形状を呈し、平面視してフラップの回転軸を中心として点対称の関係となるように連結されていることを特徴とする。
【００１３】
本発明によれば、上下一対の回転駆動機構を取り付けるにあたり、フレームの構造の簡易化と小型化が図れ、支柱部の小径化が可能となる。
【発明の効果】
【００１４】
本発明によれば、シンプルな形状で、据え付ける建築物のデザイン性を損なわないセキュリティゲートとなる。
【図面の簡単な説明】
【００１５】
【図１】本発明に係るセキュリティゲートの外観斜視図である。
【図２】（ａ）、（ｂ）はそれぞれ本発明に係るセキュリティゲートの平面図、正面図である。
【図３】支柱部の外観斜視図である。
【図４】（ａ）、（ｂ）はそれぞれ固定フレームを分解した状態、一体にした状態を示す外観斜視図であり、（ｃ）は（ｂ）におけるＡ−Ａ断面図である。
【図５】支柱部の部分分解斜視図である。
【図６】回転駆動機構の側面説明図である。
【図７】支柱部における要部の平断面説明図である。
【発明を実施するための形態】
【００１６】
図１、図２において、本発明に係るセキュリティゲート１は、ゲート本体２の両側に形成された入退出通路Ｓ１、Ｓ２を、ゲート本体２に設けた各フラップ９Ａ、９Ｂによりそれぞれ個別に開閉する構造である。図１、図２では、本発明に係るゲート本体２を中央に配置し、入退出通路Ｓ１、Ｓ２を挟んで左右に単枚フラップ仕様のゲート本体６１、６２を配置したレイアウト例を示しており、ゲート本体６１、６２の各フラップ６１Ａ、６２Ａは、それぞれゲート本体２のフラップ９Ａ、９Ｂと連動して入退出通路Ｓ１、Ｓ２を開閉するようになっている。以下、本発明に係るセキュリティゲート１、すなわち中央のゲート本体２について説明する。
【００１７】
ゲート本体２は、一方の端部３ａから他方の端部３ｂに向かう方向が入退室通路方向を形成する長尺板状の天板部３と、天板部３の中央下部を支持する円柱形状の支柱部４とを主な構成部材とする。また、支柱部４を挟んで一対形成されることとなる、天板部３の下部と床面との間の開口空間にはそれぞれ仕切りガイド部５が設けられる。フラップ９Ａ、９Ｂは、入退出通路Ｓ１、Ｓ２の通行方向と直交する方向に沿う位置となる通路閉鎖位置と、通行方向に略平行な位置となる通路開放位置との間で回転する。
【００１８】
「天板部３」
天板部３の端部３ａ、３ｂの正面部にはそれぞれ、進入許可／禁止、カードの操作許可／禁止、エラー発生等の状態をランプ表示する通行表示器６が設けられている。例えば、進入やカードの操作が可能な場合には緑色発光し、進入やカードの操作が禁止されている場合、エラーが発生している場合等には赤色発光する。
【００１９】
天板部３の端部３ａ、３ｂの上面部には、通行する人の通過権限を認証するカードリーダ７が設けられる。カードリーダ７は例えば非接触方式のカードリーダからなる。端部３ａ側に設けられたカードリーダ７は入退出通路Ｓ１を通行する際に使用され、端部３ｂ側に設けられたカードリーダ７は入退出通路Ｓ２を通行する際に使用される。なお、入退出通路Ｓ１、Ｓ２をそれぞれ逆方向に通行する際はゲート本体６１、６２のカードリーダ７を使用する。
【００２０】
また、天板部３の側面部には、人や物品の通行を検出する通行検出センサ（図示せず）が設けられる。この通行検出センサは、例えば水平方向を検出方向とする光透過型センサからなり、通行方向や位置を検出できるように天板部３の側面部に所定間隔をおいて複数設けられる。入退出通路Ｓ１、Ｓ２における下部空間も検出できるように、斜め下方を検出方向とする光反射型センサ（図示せず）が端部３ａ、３ｂ周りの側面部に設けられ、車椅子や台車などの通行が検出される。なお、支柱部４の下部には、水平方向を検出方向とする光透過型センサが取り付けられており、フラップ９Ａ、９Ｂの下方のくぐり抜けを検出できるようになっている。
【００２１】
「ゲート制御部５２」
天板部３にはゲート制御部５２が内蔵される。ゲート制御部５２は、後に詳述する回転駆動機構１０を駆動するための信号を出力し、回転駆動機構１０の動作を制御する。また、ゲート制御部５２は、接続部５１を介して接続した入退出管理装置からの送信指令を受信しながらゲート本体２の動作を制御する機能を有する。また、ゲート制御部５２は通行表示器６を制御する機能も有する。入退出管理装置は、カードリーダ７で読み取ったカードの識別情報からゲートの通過権限の有無を判定し、ゲート制御部５２に指令を与える。入退出管理装置はゲート本体２内に備える形態としてもよいし、ゲート本体２の外部、例えば床下配線を介して専用のセキュリティ管理室などに設置する形態としてもよい。また、ゲート制御部５２は支柱部４側に内蔵させてもよい。
【００２２】
「仕切りガイド部５」
仕切りガイド部５は、例えば天板部３の下部と床面との間にわたって固設されるものであり、天板部３の下部を支持する機能と、入退出通路Ｓ１、Ｓ２を仕切る機能とを担う。この仕切りガイド部５を板状の強化ガラスなどの透明部材から構成すれば、外観がシンプルとなってゲートの存在感を強く感じさせないようにすることができる。勿論、仕切りガイド部５として、不透明部材の板材から構成したり、複数の棒状部材（ステンレス鋼管など）を並設する構成としてもよい。
【００２３】
「支柱部４」
図３に示すように、支柱部４は、フラップ９Ａ用、９Ｂ用の各回転駆動機構１０と、これら回転駆動機構１０を取り付ける固定フレーム８と、各回転駆動機構１０および固定フレーム８を覆い、その筒軸がフラップ９Ａ、９Ｂの回転軸Ｘと同軸上に配置される筒状カバー１１と、を有した構成からなる。フラップ９Ａ、９Ｂの回転軸Ｘは上下に位置して同軸上に配置される。
【００２４】
「固定フレーム８」
固定フレーム８は鉛直状に延設される鋼板等の板状部材からなる。図４に示すように本実施形態では、上下に分割した固定フレーム８Ａ、８Ｂを、連結板１２を介在させたうえでボルト１３の締結により一体とさせている。連結板１２の中央には電気配線を通すための孔１２ａが穿設される。各固定フレーム８Ａ、８Ｂは、その平断面形状が、中央の基面部８ｃと、基面部８ｃの両端から「ハ」の字状に折り曲げられた折り曲げ面部８ｄ、８ｄとを有した三面構造であり、三面で囲まれる空間内にフラップ９Ａ、９Ｂの回転駆動機構１０（図３）が収装される。固定フレーム８Ａ、８Ｂは、各々のフラップ９Ａ、９Ｂの位置する側に開口部を形成した同一の平断面形状を呈しており、図４（ｃ）に示すように、平面視してフラップ９Ａ、９Ｂの回転軸Ｘを中心として点対称の関係となるように連結板１２を介して連結される。
【００２５】
具体的には、下方の固定フレーム８Ａは、そのフレーム開口側が一方の入退出通路Ｓ１（図１）に臨むように位置し、その前記空間内に、入退出通路Ｓ１を開閉するフラップ９Ａ用の回転駆動機構１０が収装される。上方の固定フレーム８Ｂは、そのフレーム開口側が他方の入退出通路Ｓ２（図１）に臨むように位置し、その前記空間内に、入退出通路Ｓ２を開閉するフラップ９Ｂ用の回転駆動機構１０が収装される。なお、固定フレーム８Ａは固定フレーム８Ｂに比べて長尺であり、前記空間の内の上方空間をフラップ９Ａ用の回転駆動機構１０の収装空間とし、下方空間は図３に示すように接続部５１の収装空間に充てている。
【００２６】
固定フレーム８Ａの下端周りは床下に埋設される部位となり、折り曲げ面部８ｄの下端には床下内で固定するためのフランジ８ｅが形成される。固定フレーム８Ｂの上端は天板部３（図１）の中央下部周りを支持する部位となり、固定フレーム８Ｂの上端周りの三面を連結するように補強板１４がボルト締結されている。この補強板１４にも電気配線を通すための孔１４ａが穿設される。また、固定フレーム８Ａ、８Ｂの各折り曲げ面部８ｄの外面側にはローラ取り付け板１５が上下一対に突設されており、各ローラ取り付け板１５には鉛直方向を回転軸方向とするガイドローラ１６が取り付けられている。このガイドローラ１６は図３に示すように筒状カバー１１（下部筒状カバー１１Ａ、上部筒状カバー１１Ｂ）の内面に接触して筒状カバー１１の回転をガイドする機能を担う。
【００２７】
「回転駆動機構１０」
固定フレーム８Ａ、８Ｂにはそれぞれフラップ９Ａ用、９Ｂ用の回転駆動機構１０が取り付けられる。両回転駆動機構１０は互いに同じ構成であり、以下、フラップ９Ａ用の回転駆動機構１０について説明する。図５または図６を参照して、回転駆動機構１０は、フラップ９Ａの回転軸Ｘを構成する上方枢支部１７および下方枢支部１８と、フラップ９Ａの回転駆動源１９とを備える。
【００２８】
符号２０は回転駆動機構１０を支持する取り付けブラケットを示す。図５に示すように、取り付けブラケット２０は、上下に延設される基面部２０ａと、基面部２０ａの上下端に互いに対向し合うように形成される上縁部２０ｂ、下縁部２０ｃと、基面部２０ａの両側端から平断面視して「ハ」の字状に折り曲げられた折り曲げ面部２０ｄ、２０ｄとを有した形状からなり、折り曲げ面部２０ｄを介して固定フレーム８Ａの折り曲げ面部８ｄにボルトにより締結固定される。
【００２９】
図６において、上縁部２０ｂには、上方枢支軸２２が鉛直方向を軸方向として上縁部２０ｂから下方に突設するように設けられており、上方枢支軸２２の上部のボルト部がナット２１によって締結固定されることで上方枢支軸２２が上縁部２０ｂに固定される。上方枢支軸２２には軸受２３を介して軸受ホルダ２４が取り付けられている。軸受ホルダ２４の形状は、軸受２３周りの上部側は円柱形状を呈しているが下部側は略方形体となっている。この略方形体の部位は一対のフラップ保持具３０の上部を取り付けるための上方取り付け部２５となる。以上の上方枢支軸２２、軸受２３、軸受ホルダ２４、上方取り付け部２５が上方枢支部１７を構成する。
【００３０】
下縁部２０ｃにおいては、その上面に軸受ホルダ２６が固定されており、軸受２７を介して下方枢支軸２８が鉛直方向を軸方向として軸受ホルダ２６から上方に突設するように設けられている。下方枢支軸２８の突設部には方形体状のブロック片がピン結合により取り付けられている。この方形体状のブロック片は一対のフラップ保持具３０の下部を取り付けるための下方取り付け部２９となる。以上の軸受ホルダ２６、軸受２７、下方枢支軸２８、下方取り付け部２９が下方枢支部１８を構成する。
【００３１】
フラップ保持具３０は、板状部材から構成されており、上下に延設されるフラップ保持部３０ａと、フラップ保持部３０ａの上部、下部からそれぞれ水平に延設される上方支持部３０ｂ、下方支持部３０ｃとを有した形状からなる。上方支持部３０ｂの根元部寄りには駆動伝達支持部３０ｄが形成される。一対のフラップ保持具３０は、各上方支持部３０ｂ、下方支持部３０ｃが方形体状を呈した上方取り付け部２５、下方取り付け部２９の両側面にあてがわれてボルト３１で締結されることにより、互いに上方取り付け部２５、下方取り付け部２９の幅寸法分の間隔を空けて上方枢支部１７、下方枢支部１８に取り付けられる。
【００３２】
図５に示すように、フラップ９Ａは、その一端側の下方縁部周りが両フラップ保持部３０ａ間に差し込まれてボルト３２、ナット３３により締結固定される。フラップ９Ａを例えば透明ポリカーボネート樹脂などの透明部材から構成すれば、通過する人にゲートの存在感を強く意識させないようにすることができる。なお、フラップ９Ａの一端側の上方縁部周りは、上部筒状カバー１１Ｂ（図３）と干渉しないように切り欠き形成されており、フラップ９Ｂ（図３）側においても下部筒状カバー１１Ａと干渉しないように切り欠き形成されている。
【００３３】
図５または図６において、フラップ９Ａの回転駆動源１９となるモータは、駆動軸１９ａを鉛直方向上向きとして上方枢支部１７と下方枢支部１８との間に配置されたうえで、本体部が取り付け板３４を介して取り付けブラケット２０に固定される。駆動軸１９ａは、上方枢支軸２２、下方枢支軸２８と同軸上に位置する。駆動軸１９ａには方形体状のブロック片からなる駆動伝達部３５の一端がピン結合により取り付けられ、駆動伝達部３５の他端は両フラップ保持具３０の駆動伝達用支持部３０ｄ間に挟まれたうえでボルト３６により締結固定される。
【００３４】
「筒状カバー１１」
筒状カバー１１は、図３に示すように、フラップ９Ａと一体に回転する下部筒状カバー１１Ａと、フラップ９Ｂと一体に回転する上部筒状カバー１１Ｂとに分割構成されている。下部筒状カバー１１Ａは、図５に示すように、平断面半円形となるようにさらに左右に分割構成されており、図７にも示すように、それぞれの円周方向一端側が、フラップ保持具３０の先端縁に形成されたフランジ部３０ｅにあてがわれて留め具３７により固定される。下部筒状カバー１１Ａの各円周方向他端側は留め具３７を介した連結板３８により互いに連結される。なお、下部筒状カバー１１Ａは、左右に分割することなく一体に形成したものでもよい。下部筒状カバー１１Ａの内周面には前記したようにガイドローラ１６が摺接する。上部筒状カバー１１Ｂも、下部筒状カバー１１Ａの構成と同じであるため、その説明は省略する。
【００３５】
「接続部５１」
図３に示すように、接続部５１は例えば固定フレーム８Ａの下部に取り付けられる。接続部５１は、図１に示すようにゲート制御部５２と、入退出管理装置、電源、隣の支柱部４の接続部とを接続する。この接続部５１周りを隠すように、下部筒状カバー１１Ａの下方には固定筒状カバー１１Ｃが設けられている。この固定筒状カバー１１Ｃは下部筒状カバー１１Ａ、上部筒状カバー１１Ｂと同径で同軸上に配されているが、回転はしない。
【００３６】
ゲート本体２は以上の構成からなり、カードリーダ７でのカードの読み取りにより入退出通路Ｓ１の通行が許可されると、ゲート制御部５２から下方に位置する回転駆動機構１０の回転駆動源１９に駆動信号が送られて駆動軸１９ａが回転する。したがって、この駆動軸１９ａに駆動伝達部３５、フラップ保持具３０を介して連結したフラップ９Ａが、上方枢支部１７および下方枢支部１８に支持されて回転軸Ｘを回転中心として進行方向側に回転し、通路を開く。フラップ保持具３０を介してフラップ９Ａに連結した下部筒状カバー１１Ａも一体に回転し、その際、ガイドローラ１６にガイドされることで回転時の波打ちなどの変形を伴うことなく安定した形状で回転する。
【００３７】
同様に、カードリーダ７でのカードの読み取りにより入退出通路Ｓ２の通行が許可されると、ゲート制御部５２から上方に位置する回転駆動機構１０の回転駆動源１９に駆動信号が送られて駆動軸１９ａが回転する。したがって、この駆動軸１９ａに駆動伝達部３５、フラップ保持具３０を介して連結したフラップ９Ｂが、上方枢支部１７および下方枢支部１８に支持されて回転軸Ｘを回転中心として進行方向側に回転し、通路を開く。フラップ保持具３０を介してフラップ９Ｂに連結した上部筒状カバー１１Ｂも一体に回転し、その際、ガイドローラ１６にガイドされることで回転時の波打ちなどの変形を伴うことなく安定した形状で回転する。
【００３８】
以上のように、ゲート本体２の両側に形成された入退出通路Ｓ１、Ｓ２を、ゲート本体２に設けたフラップ９Ａ、９Ｂによりそれぞれ個別に開閉するにあたり、フラップ９Ａ、９Ｂの回転軸Ｘを上下に位置させて同軸上に配置する構造とすれば、各回転軸を入退出通路Ｓ１、Ｓ２の幅方向に並列に配置する場合に比してゲート本体２の幅寸法（入退出通路Ｓ１、Ｓ２の幅方向に沿う寸法）を抑えることができる。したがって、ゲート本体２の小型化が可能となってゲートの存在感も抑制され、建築物のデザイン性とのマッチングが良好となる。なお、勿論、両フラップの回転軸を入退出通路Ｓ１、Ｓ２の進行方向に並列に配置する構成としてもゲート本体２の幅寸法を抑えることができるが、この場合、両フラップの回転中心が入退出通路Ｓ１、Ｓ２の進行方向にずれるという制約を受けることとなる。
【００３９】
また、フラップ９Ａ、９Ｂが、フラップ９Ａ、９Ｂの回転軸Ｘを構成する上方枢支部１７および下方枢支部１８によって回転自在に支持された構造において、フラップ９Ａ、９Ｂの回転駆動源１９を上方枢支部１７と下方枢支部１８との間に配置する構成とすれば、ゲート本体２の高さ寸法を抑えることができる。フラップ９Ａ、９Ｂを安定して支持するためには上下一対としての上方枢支部１７と下方枢支部１８とが必要であり、従来では、特許文献１に示されるように回転駆動源をフラップの下方枢支部よりもさらに下方に位置させているために、回転駆動機構全体の高さ寸法が嵩張るのに対し、本発明では、上方枢支部１７と下方枢支部１８との間の空間を利用して回転駆動源１９を位置させているので回転駆動機構１０の高さ寸法が小さくなる。したがって、限られたゲート本体２（支柱部４）の内部スペースにおいて、回転駆動機構１０の高さ寸法が抑えられる分、回転駆動機構１０以外のゲート構成部材（本実施例では接続部５１）の収装スペースに充てることができる。
【００４０】
また、ゲート本体２は、上方枢支部１７、下方枢支部１８および回転駆動源１９からなる回転駆動機構１０と、この回転駆動機構１０を取り付ける固定フレーム８と、回転駆動機構１０および固定フレーム８を覆い、その筒軸がフラップ９Ａ、９Ｂの回転軸Ｘと同軸上に配置される筒状カバー１１と、を有した支柱部４を備える構成とすれば、ゲート本体２を小型でシンプルな形状にできる。そして、筒状カバー１１を上下に分割してそれぞれにフラップ９Ａ、９Ｂを一体に連結させ、各フラップ９Ａ、９Ｂとともに各筒状カバー１１（下部筒状カバー１１Ａ、上部筒状カバー１１Ｂ）を回転させる構成とすれば、筒状カバー１１にフラップ９Ａ、９Ｂの回転逃げ代用の切り欠きなどを形成する必要もなくなり、支柱部４の構造を簡略化できる。内蔵される回転駆動機構１０等は下部筒状カバー１１Ａ、上部筒状カバー１１Ｂによって常時完全に覆われるため、美観が損なわれることもない。
【００４１】
また、固定フレーム８を固定フレーム８Ａ、８Ｂに分割構成し、これら固定フレーム８Ａ、８Ｂを、各々のフラップ９Ａ、９Ｂの位置する側に開口部を形成した同一の平断面形状とし、平面視してフラップ９Ａ、９Ｂの回転軸Ｘを中心として点対称の関係となるように連結する構成とすれば、上下一対の回転駆動機構１０を取り付けるにあたり、フレームの構造の簡易化と小型化が図れ、支柱部４の小径化が可能となる。
【符号の説明】
【００４２】
１      セキュリティゲート
２      ゲート本体
３      天板部
４      支柱部
５      仕切りガイド部
８      固定フレーム
９Ａ、９Ｂ  フラップ
１０      回転駆動機構
１１      筒状カバー
１１Ａ    下部筒状カバー
１１Ｂ    上部筒状カバー
１７      上方枢支部
１８      下方枢支部
１９      回転駆動源
３０      フラップ保持具
Ｓ１、Ｓ２  入退出通路
Ｘ      回転軸
【図１】
2010196428.tif 000003
【図２】
2010196428.tif 000004
【図３】
2010196428.tif 000005
【図４】
2010196428.tif 000006
【図５】
2010196428.tif 000007
【図６】
2010196428.tif 000008
【図７】
2010196428.tif 000009